【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
複数のユーザ機器(UE)が前記BSとのバンドル通信のために使用するために利用可能な、少なくとも1つの無線フレーム内の1つまたは複数のサブフレームの第1の構成を決定するステップと、
前記複数のUEのサブセットについて、前記UEのサブセットからのバンドルアップリンク送信のために利用不可能である、前記少なくとも1つの無線フレームにおける1つまたは複数のサブフレームを決定するステップと、
前記UEのサブセットが前記BSとのバンドル通信のために使用するために、前記少なくとも1つの無線フレーム内で、1つまたは複数のサブフレームの第2の構成を用いて、サブフレームの前記第1の構成をオーバーライドするために、前記UEのサブセットに、前記決定された利用不可能なサブフレームの指示を送信するステップと、
サブフレームの前記第2の構成を使用して、前記UEのサブセットと通信するステップと
を含む方法。
【請求項２】
前記UEのサブセットが、サブフレームの前記第2の構成を使用して、前記BSへのバンドルアップリンク送信の開始を遅延させるための時間量を決定するステップと、
前記UEのサブセットに、前記決定された時間量の指示を送信するステップと
をさらに含む、請求項1に記載の方法。
【請求項３】
サブフレームの前記第2の構成を使用して、前記UEのサブセットと通信するステップが、
前記指示された利用不可能なサブフレームのうちの少なくとも1つを含む複数のサブフレームにわたって、前記UEのサブセットに、1つまたは複数のバンドルダウンリンク送信を送信するステップ
を含む、請求項2に記載の方法。
【請求項４】
前記決定された時間量の前記指示が、前記BSによって送信された前記バンドルダウンリンク送信の許可内に含まれる、請求項3に記載の方法。
【請求項５】
前記バンドルダウンリンク送信が、物理ダウンリンク共有チャネル(PDSCH)の1つまたは複数の繰返しを備える、請求項3に記載の方法。
【請求項６】
サブフレームの前記第2の構成を使用して、前記UEのサブセットと通信するステップが、
前記少なくとも1つの無線フレームにおける複数のサブフレームにわたって、前記UEのサブセットからの1つまたは複数のバンドルアップリンク送信を受信するステップであって、前記バンドルアップリンク送信が、物理アップリンク共有チャネル(PUSCH)の1つまたは複数の繰返しを備える、ステップ
を含む、請求項1に記載の方法。
【請求項７】
ワイヤレス通信のための装置であって、
複数のユーザ機器(UE)が前記装置とのバンドル通信のために使用するために利用可能な、少なくとも1つの無線フレーム内の1つまたは複数のサブフレームの第1の構成を決定するための手段と、
前記複数のUEのサブセットについて、前記UEのサブセットからのバンドルアップリンク送信のために利用不可能である、前記少なくとも1つの無線フレームにおける1つまたは複数のサブフレームを決定するための手段と、
前記UEのサブセットが前記装置とのバンドル通信のために使用するために、前記少なくとも1つの無線フレーム内で、1つまたは複数のサブフレームの第2の構成を用いて、サブフレームの前記第1の構成をオーバーライドするために、前記UEのサブセットに、前記決定された利用不可能なサブフレームの指示を送信するための手段と、
サブフレームの前記第2の構成を使用して、前記UEのサブセットと通信するための手段と
を備える装置。
【請求項８】
ユーザ機器(UE)によるワイヤレス通信のための方法であって、
前記UEおよび1つまたは複数の他のUEが基地局(BS)とのバンドル通信のために使用するために利用可能な、少なくとも1つの無線フレーム内の1つまたは複数のサブフレームの第1の構成を決定するステップと、
前記UEによるバンドルアップリンク送信のために利用不可能である、前記少なくとも1つの無線フレーム内の1つまたは複数のサブフレームの指示を受信するステップと、
前記受信された指示に少なくとも部分的に基づいて、前記UEが前記BSとのバンドル通信のために使用するための、前記少なくとも1つの無線フレーム内の、1つまたは複数のサブフレームの第2の構成を決定するステップと、
前記1つまたは複数のサブフレームの第2の構成を用いて、サブフレームの前記第1の構成をオーバーライドするステップと、
前記決定されたサブフレームの第2の構成を使用して、前記BSと通信するステップと
を含む方法。
【請求項９】
サブフレームの前記第2の構成が、バンドルアップリンク送信のために利用不可能であるとして指示された、前記サブフレームのうちの少なくとも1つを備える、請求項8に記載の方法。
【請求項１０】
前記決定されたサブフレームの第2の構成を使用して、前記BSと通信するステップが、
前記指示された利用不可能なサブフレームのうちの前記少なくとも1つを含む複数のサブフレームにわたる、前記BSからの1つまたは複数のバンドルダウンリンク送信について監視するステップ
を含む、請求項9に記載の方法。
【請求項１１】
前記バンドルダウンリンク送信が、物理ダウンリンク共有チャネル(PDSCH)の1つまたは複数の繰返しを備える、請求項10に記載の方法。
【請求項１２】
前記バンドルダウンリンク送信のうちの1つにおける許可から、1つまたは複数のバンドルアップリンク送信の開始を遅延させるための時間量を決定するステップと、
前記遅延させるための時間量に基づいて、バンドルアップリンク送信を開始するために、前記少なくとも1つの無線フレーム内のサブフレームを決定するステップと
をさらに含む、請求項10に記載の方法。
【請求項１３】
前記決定されたサブフレームの第2の構成を使用して、前記BSと通信するステップが、
前記少なくとも1つの無線フレーム内の前記決定されたサブフレームまで、前記指示された利用不可能なサブフレームのうちの1つにおいて発生するようにスケジュールされた、前記UEからの1つまたは複数のバンドルアップリンク送信の開始を、延期するステップ
をさらに含む、請求項12に記載の方法。
【請求項１４】
ワイヤレス通信のための装置であって、
前記装置および1つまたは複数の他の装置が基地局(BS)とのバンドル通信のために使用するために利用可能な、少なくとも1つの無線フレーム内の1つまたは複数のサブフレームの第1の構成を決定するための手段と、
前記装置によるバンドルアップリンク送信のために利用不可能である、前記少なくとも1つの無線フレーム内の1つまたは複数のサブフレームの指示を受信するための手段と、
前記受信された指示に少なくとも部分的に基づいて、前記装置が前記BSとのバンドル通信のために使用するための、前記少なくとも1つの無線フレーム内の、1つまたは複数のサブフレームの第2の構成を決定するための手段と、
前記1つまたは複数のサブフレームの第2の構成を用いて、サブフレームの前記第1の構成をオーバーライドするための手段と、
前記決定されたサブフレームの第2の構成を使用して、前記BSと通信するための手段と
を備える装置。
【請求項１５】
命令を備えたコンピュータプログラムであって、前記命令が、プロセッサによって実行されると、前記プロセッサに、請求項1から6または8から13のいずれか一項に記載の方法を行わせる、コンピュータプログラム。